(57)【要約】【課題】仕切板によって区画される収納空間に引き出しが隙間無く収納される場合に、近接して位置する仕切板の存在に拘らず、外部の光を引き出しの内部まで届かせて内部の視認性を確保する手段を提供する。【解決手段】本発明に係るワゴン１０は、上下方向仕切板１２２によって上下方向に複数の収納空間１７〜２０に区画された本体部１１と、収納空間１７〜２０の上下幅ＨＫ１またはＨＫ２と等しい高さ寸法を有し収納空間１７〜２０の内部に出し入れ可能に設けられた引き出し１３とを有し、上下方向仕切板１２２は、その正面側の縁部に、収納空間１７〜２０の奥側へ後退してなる後退部１６が設けられ、引き出し１３は、その底面を構成する底面板及び正面を構成する正面板の少なくとも後退部１６に対応する部分が、透明な部材により形成されているものである。【選択図】図１
2013022138.tif 000002
【特許請求の範囲】
【請求項１】
仕切板によって上下方向に複数の収納空間に区画された本体部と、前記収納空間の上下幅と等しい高さ寸法を有し前記収納空間の内部に出し入れ可能に設けられた引き出しと、を有する収納体であって、
前記仕切板は、その正面側の縁部に、前記収納空間の奥側へ後退してなる後退部が設けられ、
前記引き出しは、その底面を構成する底面板及び正面を構成する正面板の少なくとも前記後退部に対応する部分が、透明な部材により形成されていることを特徴とする収納体。
【請求項２】
前記後退部は、前記仕切板の正面側の縁部における幅方向中央部に設けられていることを特徴とする請求項１に記載の収納体。
【請求項３】
仕切板によって横方向に複数の収納空間に区画された本体部と、前記収納空間の横幅と等しい幅寸法を有し前記収納空間の内部に出し入れ可能に設けられた引き出しと、を有する収納体であって、
前記仕切板は、その正面側の縁部に、前記収納空間の奥側へ後退してなる後退部が設けられ、
前記引き出しは、その正面を構成する正面板及び側面を構成する側面板の少なくとも前記後退部に対応する部分が、透明な部材により形成されていることを特徴とする収納体。
【請求項４】
前記引き出しは、その全体が透明な部材により形成されていることを特徴とする請求項１から３の何れか１項に記載の収納体。
【発明の詳細な説明】
【技術分野】
【０００１】
本発明は、仕切板によって複数の収納空間に区画された本体部と、本体部の収納空間に出し入れ可能に設けられた引き出しとを有する収納体に関するものである。
【背景技術】
【０００２】
書類や文具や薬等を収納するための収納体としては、仕切板によって複数の収納空間に区画されるとともに、その収納空間に引き出しを出し入れ可能に設けたものが普及している。そして、引き出しが複数ある場合に、引き出しを引き出さなくても内部に収納されたものの種別を外部から識別できるように、引き出しを透明な素材で形成することが従来知られている。
【先行技術文献】
【特許文献】
【０００３】
【特許文献１】実開平５−５３９８９号公報
【発明の概要】
【発明が解決しようとする課題】
【０００４】
しかし、従来の収納体によれば、仕切板によって区画される収納空間に引き出しが隙間無く収納される場合に、引き出しを透明な部材で形成しても外部の光が引き出しの内部へ十分に届かず、内部の視認性が低下するという問題がある。
【０００５】
より詳細に説明すると、収納体が仕切板によって例えば上下方向に区画された複数段の収納空間を有し、引き出しの高さ寸法が収納空間の上下幅と略等しい場合、ある段の仕切板の上に載置された引き出しは、その上方に隙間無く上段の仕切板が位置した状態となる。この場合、透明な素材を透過した外部からの光が引き出しの内部に若干届くものの、引き出しの上方に隙間無く位置する仕切板によって遮られることにより、引き出しの上方からの光は引き出しの内部には届きにくい。これにより、外部からの光が引き出しの内部に十分に届かず、内部に収納されたものの識別が難しくなる。
【０００６】
本発明は、このような事情を考慮してなされたものであり、その目的は、仕切板によって区画される収納空間に引き出しが隙間無く収納される場合に、近接して位置する仕切板の存在に拘らず、外部の光を引き出しの内部まで届かせて内部の視認性を確保する手段を提供する。
【課題を解決するための手段】
【０００７】
上記目的を達成するために、本発明は以下の手段を採用している。すなわち、本発明に係る収納体は、仕切板によって上下方向に複数の収納空間に区画された本体部と、前記収納空間の上下幅と等しい高さ寸法を有し前記収納空間の内部に出し入れ可能に設けられた引き出しと、を有する収納体であって、前記仕切板は、その正面側の縁部に、前記収納空間の奥側へ後退してなる後退部が設けられ、前記引き出しは、その底面を構成する底面板及び正面を構成する正面板の少なくとも前記後退部に対応する部分が、透明な部材により形成されていることを特徴とする。
【０００８】
このような構成によれば、収納体の外部からの光は、まず透明な正面板を透過し、次に透明な底面板を透過し、最後に仕切板の後退部を通過することにより、下方に位置する収納体の内部に到達する。これにより、収納空間に収納された引き出しは、収納空間の上下幅と等しい高さ寸法を有するために、その上方に仕切板が隙間無く存在するにも拘らず、外部から見た場合における内部の視認性が十分に確保される。
【０００９】
また、本発明に係る収納体は、前記後退部は、前記仕切板の正面側の縁部における幅方向中央部に設けられていることを特徴とする。
【００１０】
このような構成によれば、後退部を挟んで左右両側では、引き出しの正面側における幅方向両端部が、仕切板によって下方から支持される。これにより、引き出しを仕切板によって下方から安定して支持することができる。
【００１１】
また、本発明に係る収納体は、仕切板によって横方向に複数の収納空間に区画された本体部と、前記収納空間の横幅と等しい幅寸法を有し前記収納空間の内部に出し入れ可能に設けられた引き出しと、を有する収納体であって、前記仕切板は、その正面側の縁部に、前記収納空間の奥側へ後退してなる後退部が設けられ、前記引き出しは、その正面を構成する正面板及び側面を構成する側面板の少なくとも前記後退部に対応する部分が、透明な部材により形成されていることを特徴とする。
【００１２】
このような構成によれば、収納体の外部からの光は、まずある引き出しを構成する透明な正面板を透過し、次に当該引き出しを構成する透明な側板を透過し、更に仕切板の後退部を通過し、最後に隣接する引き出しを構成する側板を透過することにより、当該隣接する引き出しの内部に到達する。これにより、収納空間に収納された引き出しは、その側方に仕切板が隙間無く存在するにも拘らず、外部から見た場合における内部の視認性が十分に確保される。
【００１３】
また、本発明に係る収納体は、前記引き出しは、その全体が透明な部材により形成されていることを特徴とする。
【００１４】
このような構成によれば、収納体の全体を透明な部材によって一体的に成形することができるので、製造工程の簡略化及びコストダウンを図ることができる。
【発明の効果】
【００１５】
本発明に係る収納体によれば、仕切板によって区画される収納空間に引き出しが隙間無く収納される場合に、近接して位置する仕切板の存在に拘らず、外部の光を引き出しの内部まで届かせて内部の視認性を確保することができる。
【図面の簡単な説明】
【００１６】
【図１】本発明の第一実施形態に係るワゴンの外観を示す概略斜視図であって、（ａ）は正面側から見た概略斜視図、（ｂ）は背面側から見た概略斜視図である。
【図２】上下方向仕切板を示す概略平面図である。
【図３】薄型引き出しの外観を示す概略斜視図である。
【図４】図３におけるＡ−Ａ線断面を示す概略断面図である。
【図５】本発明の第一実施形態に係るワゴンの作用効果を説明する図であって、第二収納空間と第三収納空間に薄型引き出しがそれぞれ収納された状態を示している。
【図６】第一実施形態に係るワゴンの第一の変形例であるトレーワゴンを示す概略斜視図である。
【図７】第一実施形態に係るワゴンの第二の変形例であるマルチワゴンを示す概略斜視図である。
【図８】本発明の第二実施形態に係るワゴンの薄型引き出しを示す概略斜視図。
【図９】図８におけるＢ−Ｂ線断面を示す概略断面図である。
【図１０】本発明の第三実施形態に係るワゴンの外観を示す概略斜視図である。
【発明を実施するための形態】
【００１７】
（第一実施形態）
以下、図面を参照し、本発明の実施の形態について説明する。まず、本発明の第一実施形態に係るワゴン（収納体）の構成について説明する。図１は、本発明の第一実施形態に係るワゴン１０の外観を示す概略斜視図であって、（ａ）は正面側から見た概略斜視図、（ｂ）は背面側から見た概略斜視図である。尚、本発明に係るワゴン１０は、例えば不図示の机を構成する天板の下方空間に配置して使用される。
【００１８】
ワゴン１０は、図１に示すように、正面側が開口された箱型の本体部１１と、この本体部１１の内部を仕切る複数の仕切板１２と、本体部１１の内部に収納された複数の引き出し１３と、本体部１１の底部に設けられたキャスタ１４と、を備えるものである。
【００１９】
本体部１１は、図１（ａ）及び（ｂ）に示すように、略矩形の底板１１１と、その長手方向両端部から略垂直に起立して向かい合う一対の側板１１２と、底板１１１に略平行して設けられて一対の側板１１２の上端部を接続する天板１１３と、背面側を覆うように設けられた背板１１４と、を有している。ここで本実施形態では、本体部１１を構成する各部材を、木製の板部材によってそれぞれ形成している。そして、一対の側板１１２は、正面側から見て左側に位置する第一側板１１２Ａと、右側に位置する第二側板１１２Ｂとによって構成される。
【００２０】
尚、本体部１１を構成する底板１１１、一対の側板１１２、天板１１３、及び背板１１４の材質や形状や大きさや等は、本実施形態に限定されず適宜設計変更が可能である。
【００２１】
仕切板１２は、本体部１１の内部を区画する役割を果たすものである。この仕切板１２は、図１（ａ）に示すように、本体部１１の内部を横方向に区画する１枚の横方向仕切板１２１と、本体部１１の内部を上下方向に区画する３枚の上下方向仕切板１２２と、を有している。
【００２２】
横方向仕切板１２１は、本体部１１の内部を横方向に区画する役割を果たすものである。この横方向仕切板１２１は、図１（ａ）に示すように、略矩形形状を有する木製の平板であって、幅寸法すなわち図１（ａ）における上下方向の寸法が、天板１１３と底板１１１の離間距離と略等しく形成されている。また、図に詳細は示さないが、横方向仕切板１２１の長さ寸法すなわち図１（ａ）における奥行き方向の寸法が、側板１１２の奥行き方向寸法と略等しく形成されている。
【００２３】
このように構成される横方向仕切板１２１は、図１（ａ）に示すように、本体部１１の内部に、より詳細には本体部１１の幅方向中央より第二側板１１２Ｂの側へ若干近接した位置に配置され、その幅方向一端部が天板１１３に固定されるとともに、その幅方向他端部が底板１１１に固定されている。これにより、横方向仕切板１２１は、天板１１３及び底板１１１に対して略直交するとともに、第一側板１１２Ａ及び第二側板１１２Ｂに対して略平行な状態となっている。そして、この横方向仕切板１２１によって本体部１１の内部には、横方向仕切板１２１、天板１１３、第二側板１１２Ｂ、底板１１１、及び背板１１４によって包囲される第一収納空間１５が形成されている。
【００２４】
尚、横方向仕切板１２１の材質、形状、大きさ、枚数等は、本実施形態に限定されず適宜設計変更が可能である。また、本体部１１の内部における横方向仕切板１２１の設置位置は、後述する引き出し１３の幅寸法等に応じて任意に調整が可能である。
【００２５】
上下方向仕切板１２２は、本体部１１の内部を上下方向に区画する役割を果たすものである。ここで、図２は、上下方向仕切板１２２を示す概略平面図である。上下方向仕切板１２２は、略矩形形状を有する木製の平板であって、その幅寸法すなわち図１（ａ）における水平方向寸法が、第一側板１１２Ａと横方向仕切板１２１との離間距離と略等しく形成されている。また、上下方向仕切板１２２の長さ寸法すなわち図１（ａ）における奥行き方向寸法は、側板１１２の奥行き方向寸法と略等しく形成されている。
【００２６】
また、図２に示すように、上下方向仕切板１２２には、その長手方向一端側の縁部を部分的に切り欠くことにより後退部１６が形成されている。この後退部１６は、平面視で略台形形状を有し、上下方向仕切板１２２の幅方向中央部に設けられている。尚、本発明において「後退部１６」とは、本実施形態のように上下方向仕切板１２２の縁部を部分的に切り欠いて形成するものだけでなく、縁部を幅方向の全長に渡って切除して形成するものも含む概念である。
【００２７】
このように構成される上下方向仕切板１２２は、図１（ａ）に示すように、本体部１１の内部に、より詳細には第一側板１１２Ａと横方向仕切板１２１との間に上下方向に所定間隔で３箇所に配置され、その幅方向一端部が第一側板１１２Ａにそれぞれ固定されるとともに、その幅方向他端部が横方向仕切板１２１にそれぞれ固定されている。これにより、上下方向仕切板１２２それぞれは、第一側板１１２Ａ及び横方向仕切板１２１に対して略直交するとともに、天板１１３及び底板１１１に対して略平行な状態となっている。そして、このように上下方向仕切板１２２を本体部１１に装着した状態において、上下方向仕切板１２２に形成された後退部１６は、本体部１１の正面側の縁部より奥側へ後退した状態となっている。
【００２８】
そして、これら３枚の上下方向仕切板１２２により、本体部１１の内部であって第一側板１１２Ａと横方向仕切板１２１の間には、上下方向に４段の第二収納空間１７、第三収納空間１８、第四収納空間１９、及び第五収納空間２０がそれぞれ形成されている。より詳細には、３枚の上下方向仕切板１２２のうち最上段の上下方向仕切板１２２、第一側板１１２Ａ、天板１１３、横方向仕切板１２１、及び背板１１４によって包囲されることにより、第二収納空間１７が形成されている。また、３枚の上下方向仕切板１２２のうち上から２段目の上下方向仕切板１２２、第一側板１１２Ａ、最上段の上下方向仕切板１２２、横方向仕切板１２１、及び背板１１４によって包囲されることにより、第三収納空間１８が形成されている。更に、３枚の上下方向仕切板１２２のうち最下段の上下方向仕切板１２２、第一側板１１２Ａ、上から２段目の上下方向仕切板１２２、横方向仕切板１２１、及び背板１１４によって包囲されることにより、第四収納空間１９が形成されている。また、３枚の上下方向仕切板１２２のうち最下段の上下方向仕切板１２２、横方向仕切板１２１、底板１１１、第一側板１１２Ａ、及び背板１１４によって包囲されることにより、第五収納空間２０が形成されている。
【００２９】
ここで、図１（ａ）に示すように、第二収納空間１７、第三収納空間１８、及び第四収納空間１９は、いずれも等しい横幅及び等しい上下幅ＨＫ１をそれぞれ有している。一方、最も下方に位置する第五収納空間２０は、上方の第二収納空間１７、第三収納空間１８、及び第四収納空間１９と等しい大きさの横幅を有するが、第二収納空間１７、第三収納空間１８、及び第四収納空間１９の上下幅ＨＫ１より広い上下幅ＨＫ２を有している。
【００３０】
尚、上下方向仕切板１２２の材質、形状、大きさ、枚数等は本実施形態に限定されず適宜設計変更が可能である。更に、上下方向仕切板１２２に形成する後退部１６の平面視形状、大きさ、枚数等は、本実施形態に限られず適宜設計変更が可能である。また、本体部１１の内部における上下方向仕切板１２２の設置位置は、後述する引き出し１３の高さ方向寸法等に応じて任意に調整が可能である。
【００３１】
引き出し１３は、埃等の付着を防止しつつ書類等を収納する役割を果たすものである。この引き出し１３は、図１（ａ）に示すように、第二収納空間１７、第三収納空間１８、及び第四収納空間１９にそれぞれ収納される薄型引き出し２１と、第五収納空間２０に収納される厚型引き出し２２と、によって構成されている。
【００３２】
図３は、薄型引き出し２１の外観を示す概略斜視図である。また、図４は、図３におけるＡ−Ａ線断面を示す概略断面図である。薄型引き出し２１は、その全体が透明なプラスチックからなる上部が開口した筐体であって、図３及び図４に示すように、底部を構成する底面板２１１と、この底面板２１１の長手方向両端部から略垂直に起立して向かい合う一対の正面板２１２及び背面板２１３と、底面板２１１の幅方向両端部から略垂直に起立して向かい合う一対の第一側面板２１４及び第二側面板２１５と、を有している。
【００３３】
そして、図３に示すように、底面板２１１の幅方向両端部には、周囲より一段高く突出した段差部２１１ａがそれぞれ形成されている。また、図３及び図４に示すように、正面板２１２の先端部には、外側へ屈曲した取手部２１２ａが形成されている。
【００３４】
ここで、薄型引き出し２１の幅寸法は、図１（ａ）に示す第二収納空間１７、第三収納空間１８、及び第四収納空間１９の横幅と略等しいかそれより若干小さく設定されている。また、図３に示すように、薄型引き出し２１の高さ寸法Ｈｈ１は、図１（ａ）に示す第二収納空間１７、第三収納空間１８、及び第四収納空間１９の上下幅ＨＫ１と略等しいかそれより若干小さく設定されている。更に、薄型引き出し２１の長さ寸法は、第二収納空間１７、第三収納空間１８、及び第四収納空間１９の奥行きと略等しいかそれより若干小さく設定されている。これにより薄型引き出し２１は、第二収納空間１７、第三収納空間１８、及び第四収納空間１９の内部に収納可能となっている。
【００３５】
一方、厚型引き出し２２も、薄型引き出し２１と同様にその全体が透明なプラスチックからなる上部が開口した筐体であって、薄型引き出し２１と比較してその高さだけが異なっている。すなわち、図に詳細は示さないが、厚型引き出し２２の高さは、薄型引き出し２１の高さ寸法Ｈｈ１より高く、第五収納空間２０の上下幅ＨＫ２と略等しいかそれより若干小さく設定されている。これにより厚型引き出し２２は、第五収納空間２０の内部に収納可能となっている。厚型引き出し２２のそれ以外の構成は、薄型引き出し２１と同じであるため、ここでは説明を省略する。
【００３６】
尚、薄型引き出し２１及び厚型引き出し２２の材質は、光を透過可能な材質であればプラスチックに限定されず任意に変更が可能であって、例えばガラスで構成することも可能である。また、正面板２１２に設けた取手部２１２ａは、使用者による薄型引き出し２１の出し入れ操作を容易にすることを目的とした任意の構成であって、正面板２１２を取手部２１２ａの無い構成とすることも可能である。また、薄型引き出し２１及び厚型引き出し２２の形状や大きさは、第二収納空間１７、第三収納空間１８、第四収納空間１９、及び第五収納空間２０に収納可能な範囲で適宜設計変更が可能である。
【００３７】
キャスタ１４は、ワゴン１０を任意の方向へ移動可能にする役割を果たすものである。このキャスタ１４は、図１に示すように、本体部１１の底板１１１の四隅にそれぞれ取り付けられた支持部材１４１と、この支持部材１４１によって回転可能に支持された車輪１４２と、を有している。尚、このキャスタ１４としては、従来公知のものを適宜採用することができる。また、キャスタ１４は本発明に必須の構成ではなく、キャスタ１４を持たない移動不能なワゴン１０として構成してもよい。
【００３８】
次に、本発明の第一実施形態に係るワゴン１０の作用効果について説明する。図５は、本発明の第一実施形態に係るワゴン１０の作用効果を説明する図であって、第二収納空間１７と第三収納空間１８に薄型引き出し２１がそれぞれ収納された状態を示している。
【００３９】
図５に示すように、第三収納空間１８に収納された薄型引き出し２１は、前述のようにその高さ寸法Ｈｈ１が第三収納空間１８の上下幅ＨＫ１と略等しく設定されている。従って、この第三収納空間１８に収納された薄型引き出し２１の上方には、狭い隙間２３を介して最上段の上下方向仕切板１２２が、薄型引き出し２１の上部開口を覆うようにして位置している。
【００４０】
しかし、図５に示すように、最上段の上下方向仕切板１２２には、その正面側の縁部を切り欠くことによって後退部１６が形成されている。また、薄型引き出し２１はその全体が透明な部材によって形成されている。従って、ワゴン１０の外部からの光Ｌは、まず取手部２１２ａを含む正面板２１２を透過し、次に底面板２１１を透過し、最後に最上段の上下方向仕切板１２２の後退部１６を通過することにより、第三収納空間１８に収納された薄型引き出し２１の内部に到達する。これにより、第三収納空間１８に収納された薄型引き出し２１は、その上方に最上段の上下方向仕切板１２２が隙間無く存在するにも拘らず、外部からの視認性が十分に確保される。
【００４１】
また、本実施形態では、上下方向仕切板１２２において後退部１６の形成される位置が、正面側の縁部であって幅方向中央部である。従って、この後退部１６を挟んで左右両側では、薄型引き出し２１の正面側における幅方向両端部が、上下方向仕切板１２２によって下方から支持される。これにより、薄型引き出し２１を上下方向仕切板１２２によって下方から安定して支持することができるという利点がある。
【００４２】
尚、以上の説明では第二収納空間１７と第三収納空間１８に薄型引き出し２１がそれぞれ収納される場合を例にして説明したが、第三収納空間１８と第四収納空間１９に薄型引き出し２１がそれぞれ収納される場合や、第四収納空間１９に薄型引き出し２１が収納され第五収納空間２０に厚型引き出し２２が収納される場合も同様の作用効果が奏される。また、第三収納空間１８の内部に薄型引き出し２１が収納されることなく、収納すべき書類等が上から２段目の上下方向仕切板１２２の上に直接載置される場合にも、前述と同様にして第三収納空間１８の視認性が確保される。更にこの場合、上から２段目の上下方向仕切板１２２に後退部１６が形成されているため、使用者はこの後退部１６に手を差し入れることにより、書類等の縁部を掴んで第三収納空間１８から容易に取り出すことができる。
【００４３】
次に、本発明の第一実施形態に係るワゴン１０の変形例について説明する。図６は、第一実施形態に係るワゴン１０の第一の変形例であるトレーワゴン１０Ａを示す概略斜視図である。このトレーワゴン１０Ａは、第一実施形態に係るワゴン１０の上に、出し入れ可能な収納箱２４が装着されたものである。尚、第一実施形態に係るワゴン１０と同じ構成については、同じ符号を付している。このような構成によれば、第一実施形態のワゴン１０と比較して収納箱２４の分だけ収納力が増大するという利点がある。
【００４４】
また、図７は、第一実施形態に係るワゴン１０の第二の変形例であるマルチワゴン１０Ｂを示す概略斜視図である。このマルチワゴン１０Ｂは、第一実施形態に係るワゴン１０の上に、平面視で略Ｕ字形状を有する荷物脱落防止ユニット２５が固定されたものである。尚、第一実施形態に係るワゴン１０と同じ構成については、同じ符号を付している。このような構成によれば、ワゴン１０の上にランドセル等の荷物Ｎ（図７に二点鎖線で示す）を載置した時に、荷物Ｎが転倒してワゴン１０の上から脱落することを防止することができるという利点がある。
【００４５】
また、本発明に係る収納体は、本実施形態のように底部にキャスタ１４が設けられて移動可能なワゴン１０として構成されるだけでなく、例えば机の天板１１３の下に固定して設置される袖箱（不図示）として構成することも可能である。
【００４６】
（第二実施形態）
次に、本発明の第二実施形態に係るワゴン１０（収納体）の構成について説明する。第二実施形態に係るワゴン１０は、第一実施形態に係るワゴン１０と比較すると、引き出しの構成だけが異なっている。より詳細には、第一実施形態の引き出し１３はその全体が透明であるのに対し、本実施形態の引き出しはその一部だけが透明である点で異なっている。それ以外の構成は第一実施形態のワゴン１０と同じであるため、同じ符号を使用し、ここでは説明を省略する。
【００４７】
図８及び図９は、第二実施形態に係るワゴン１０の薄型引き出し３１を示す図であって、図８は概略斜視図、図９は図８におけるＢ−Ｂ線断面を示す概略断面図である。薄型引き出し３１は、第一実施形態の薄型引き出し２１と同様に、底部を構成する底面板３１１と、この底面板３１１の長手方向両端部から略垂直に起立して向かい合う一対の正面板３１２及び背面板３１３と、底面板３１１の幅方向両端部から略垂直に起立して向かい合う一対の第一側面板３１４及び第二側面板３１５と、を有している。そして、正面板３１２の先端部には、外側へ屈曲した取手部３１２ａが形成されている。
【００４８】
ここで、図８及び図９に示すように、底面板３１１は、上下方向仕切板１２２に形成された後退部１６に対向する部分が、透明なプラスチックからなる透明領域３１１ａとして構成されている。この透明領域３１１ａは、平面視で略台形形状を有し、上下方向仕切板１２２の幅方向中央部に設けられている。一方、底面板３１１は、透明領域３１１ａ以外の部分（図８にハッチングで示す部分）が、不透明なプラスチックからなる不透明領域３１１ｂとして構成されている。
【００４９】
また、図８に示すように、向かい合う正面板３１２及び背面板３１３は、その全体が透明なプラスチックでそれぞれ形成されている。同様に、向かい合う第一側面板３１４及び第二側面板３１５も、その全体が透明なプラスチックでそれぞれ形成されている。
【００５０】
このような構成によれば、図９に示すように、ワゴン１０の外部からの光Ｌは、まず取手部３１２ａを含む正面板３１２を透過し、次に底面板３１１における透明領域３１１ａを透過し、最後に上下方向仕切板１２２の後退部１６を通過することにより、下方に位置する薄型引き出し３１（図９には不図示）の内部に到達する。これにより、下方に位置する薄型引き出し３１は、その上方に上下方向仕切板１２２が隙間無く存在するにも拘らず、外部からの視認性が十分に確保される。
【００５１】
尚、本実施形態では正面板３１２の全体を透明なプラスチックで形成したが、底面板３１１と同様に、上下方向仕切板１２２に形成された後退部１６に対応する部分、より詳細には幅方向中央部だけを透明領域３１１ａとして構成し、その他の部分を不透明領域３１１ｂとして構成することも可能である。また、本実施形態では背面板３１３、第一側面板３１４、及び第二側面板３１５を透明なプラスチックで形成したが、これらを全て不透明なプラスチックで形成してもよい。
【００５２】
（第三実施形態）
次に、本発明の第三実施形態に係るワゴン（収納体）の構成について説明する。図１０は、第三実施形態に係るワゴン４０の外観を示す概略斜視図である。本実施形態に係るワゴン４０は、第一実施形態に係るワゴン１０と同様に、正面が開口された箱型の本体部４１と、この本体部４１の内部を仕切る複数の仕切板４２と、本体部４１の内部に収納された複数の引き出し４３と、を備えるものである。しかし、本実施形態に係るワゴン４０は、仕切板４２の構成及び引き出し４３の構成が第一実施形態とはそれぞれ異なっている。それ以外の構成は第一実施形態のワゴン１０と同じであるため、同じ符号を使用し、ここでは説明を省略する。
【００５３】
本実施形態の仕切板４２は、図１０に示すように、本体部４１の内部を横方向に区画する４枚の横方向仕切板４２１のみで構成されている。そして、これら横方向仕切板４２１には、その正面側の縁部を部分的に切り欠くことにより、後退部４４が形成されている。この後退部４４は、側面視で略台形形状を有し、横方向仕切板４２１の上下方向中央部に設けられている。そして、これら４枚の横方向仕切板４２１により、本体部４１の内部には、横方向に５個の収納空間４５がそれぞれ形成されている。
【００５４】
引き出し４３は、図１０に示すように、その全体が透明なプラスチックからなる上部が開口した筐体である。ここで、この引き出し４３の幅寸法Ｗｈは、図１０に示す収納空間４５の横幅Ｗｋと略等しいかそれより若干小さく設定されている。また、引き出し４３の高さ寸法は、収納空間４５の上下幅と略等しいかそれより若干小さく設定されている。更に、図に詳細は示さないが、引き出し４３の長さ寸法は、収納空間４５の奥行きと略等しいかそれより若干小さく設定されている。これにより、引き出し４３は、５個の収納空間４５の内部に収納可能となっている。
【００５５】
このような構成によれば、収納空間４５それぞれに収納された引き出し４３は、その幅寸法Ｗｈが収納空間４５の横幅Ｗｋと略等しく設定されている。従って、収納空間４５に収納された引き出し４３の側方には、狭い隙間４６を介して隣接する横方向仕切板４２１が位置している。
【００５６】
しかし、図１０に示すように、横方向仕切板４２１には、その正面側の縁部を切り欠くことによって後退部４４が形成されている。また、引き出し４３はその全体が透明な部材によって形成されている。従って、図に詳細は示さないが、ワゴン４０の外部からの光Ｌは、まずある引き出し４３を構成する正面板４３１を透過し、次に当該引き出し４３を構成する側面板４３２を透過し、更に横方向仕切板４２１の後退部４４を通過し、最後に隣接する引き出し４３を構成する側面板４３２を透過することにより、当該隣接する引き出し４３の内部に到達する。これにより、収納空間４５に収納された引き出し４３は、その側方に横方向仕切板４２１が隙間無く存在するにも拘らず、外部からの視認性が十分に確保される。
【００５７】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００５８】
１０  ワゴン
１０Ａ  トレーワゴン
１０Ｂ  マルチワゴン
１１  本体部
１１１  底板
１１２  側板
１１２Ａ  第一側板
１１２Ｂ  第二側板
１１３  天板
１１４  背板
１２  仕切板
１２１  横方向仕切板
１２２  上下方向仕切板
１３  引き出し
１４  キャスタ
１４１  支持部材
１４２  車輪
１５  第一収納空間
１６  後退部
１７  第二収納空間
１８  第三収納空間
１９  第四収納空間
２０  第五収納空間
２１  薄型引き出し
２１１  底面板
２１１ａ  段差部
２１２  正面板
２１２ａ  取手部
２１３  背面板
２１４  第一側面板
２１５  第二側面板
２２  厚型引き出し
２３  隙間
２４  収納箱
２５  荷物脱落防止ユニット
３１  薄型引き出し
３１１  底面板
３１１ａ  透明領域
３１１ｂ  不透明領域
３１２  正面板
３１２ａ  取手部
３１３  背面板
３１４  第一側面板
３１５  第二側面板
４０  ワゴン
４１  本体部
４２  仕切板
４２１  横方向仕切板
４３  引き出し
４３１  正面板
４３２  側面板
４４  後退部
４５  収納空間
４６  隙間
Ｈｈ１  高さ寸法
ＨＫ１  上下幅
ＨＫ２  上下幅
Ｌ  光
Ｎ  荷物
Ｗｈ  幅寸法
Ｗｋ  横幅
【図１】
2013022138.tif 000003
【図２】
2013022138.tif 000004
【図３】
2013022138.tif 000005
【図４】
2013022138.tif 000006
【図５】
2013022138.tif 000007
【図６】
2013022138.tif 000008
【図７】
2013022138.tif 000009
【図８】
2013022138.tif 000010
【図９】
2013022138.tif 000011
【図１０】
2013022138.tif 000012